(57)【要約】【課題】  従来のビン入り錠剤収納ケースを改良する。【解決手段】  薬剤・健康促進剤・食用錠剤菓子等のビン入り錠剤の収納方法において小型式筒体の錠剤入り収納小ビンを設け該小ビンを開閉式ケース内に左右対象となるように並列かつ順次着脱が可能となることを特徴とするビン入錠剤収納方法の提供、及び薬剤・健康促進剤・食用錠剤菓子等のビン入り錠剤収納ケースにおいてプラスチック製の素材を小型式筒体に成形してなる蓋付の錠剤の収納小ビンと該小ビンを並列かつ着脱自在にしたプラスチック製のインナーケースと該インナーケースを左右対象に装着かつ着脱自在となる開閉自在のプラスチック製のキットケース本体とから構成されることを特徴とするビン入り錠剤収納ケースの提供。【選択図】  図４
2005168575.tif 000002
【特許請求の範囲】
【請求項１】
薬剤・健康促進剤・食用錠剤菓子等のビン入り錠剤の収納方法において、小型式筒体の錠剤入り収納小ビンを設け、該小ビンを開閉式ケース内に左右対象となるように並列かつ順次着脱が可能となることを特徴とするビン入錠剤収納方法。
【請求項２】
請求項１記載の収納方法において、錠剤入りケースと該ケースを開閉式ケースに挿入しかつ着脱を自在にしてなる請求項１記載のビン入り錠剤収納方法。
【請求項３】
請求項１記載の収納方法において、開閉式ケースを色別にし収納されている錠剤を外から鑑別可能にしてなる請求項１記載のビン入り錠剤収納方法。
【請求項４】
薬剤・健康促進剤・食用錠剤菓子等のビン入り錠剤収納ケースにおいて、プラスチック製の素材を小型式筒体に成形してなる蓋付の錠剤の収納小ビンと、該小ビンを並列かつ着脱自在にしたプラスチック製のインナーケースと、該インナーケースを左右対象に装着かつ着脱自在となる開閉自在のプラスチック製のキットケース本体と、から構成されることを特徴とするビン入り錠剤収納ケース。
【請求項５】
請求項４の錠剤収納ケースにおいて、キットケース本体の片側中央部にプッシュ部を設け、該プッシュ部を親指で押して前記ケース本体をワンタッチで開閉することを可能にした請求項４記載のビン入り錠剤収納ケース。
【請求項６】
請求項４記載の錠剤収納ケースにおいて、インナーケースを半円形状に一体成型し、該インナーケースに錠剤収納小ビンを着脱しかつ該着脱をワンタッチで可能にした請求項４記載のビン入り錠剤の収納ケース。
【請求項７】
請求項４記載の錠剤収納ケースにおいて、キットケース本体を半透明状に成形し、該キットケース本体とインナーケース間に色別シールを挿入して収納されている錠剤を外から識別可能にしてなる請求項４記載のビン入り錠剤収納ケース。
【請求項８】
請求項４記載の錠剤収納ケースにおいて、錠剤収納小ビンの錠剤取出口を小ビン内蓋の中央部から多少ずらして円形状に成形し、該状剤取出口から１錠づつ錠剤を取り出すことを可能にしてなる請求項４記載のビン入り錠剤収納ケース。
【発明の詳細な説明】
【技術分野】
【０００１】
本発明は薬剤・健康促進剤・食用錠剤菓子等のビン入り収納ケースに関するが、詳しくは従来の素材をプラスチック製にするとともに収納方法を改良したビン入りの錠剤の収納方法と、その収納ケースに関するものである。
【背景技術】
【０００２】
従来のビン入り錠剤の収納ケースは、例えば図８から図１４に示すようにキットケース本体１１が硬質性のプラスチック製からなり、しかもキットケース本体１１の開閉にはツメ留部１２を爪で開閉する方法になっている。従って、２ケ所のツメ留部１２を爪で開かなければならないので爪を痛め、特に女性の場合は長い爪でひっかくことになり爪がはがれることも生じるので非常に危険である。また収納されるビンがガラス製であり、一方ビン収納部１４が非常に柔らかいウレタン製のためにガラス製の収納ビンＭをビン収納部１４に収納し固定するのが困難かつ不可能となり、着脱に多くの不都合が生じていた。また、ビン収納部１４の錠剤取出口Ｔが通常のビンと同じであるため、一度に多くの錠剤が取り出されてしまい多くの場合いちいち元に戻しており非常に不便であった。更に、キットケース本体１１の色が一色であるばかりか中身の錠剤が外部から見えないので、いちいち開閉して中の錠剤を確認しなければならず種々の不便さや、作業面の効率性も悪いなど多くの問題が生じていた。
【発明の開示】
【発明が解決しようとする課題】
【０００３】
このような従来ケースに改良を加えて取り扱や操作など作業性の効率化を図るところに、本発明が解決しようとする課題を有する。
【課題を解決するための手段】
【０００４】
本発明は上記の如き課題を解決するために開発したものであって、薬剤・健康促進剤・食用錠剤菓子等のビン入り錠剤の収納方法において小型式筒体の錠剤入り収納小ビンを設け該小ビンを開閉式ケース内に左右対象となるように並列かつ順次着脱が可能となることを特徴とするビン入錠剤収納方法の提供にあり、また前記の収納方法において錠剤入りケースと該ケースを開閉式ケースに挿入しかつ着脱を自在にしてなるビン入り錠剤収納方法の提供にあり、また前記の収納方法において開閉式ケースを色別にし収納されている錠剤を外から鑑別可能にしてなるビン入り錠剤収納方法の提供にある。
【０００５】
また本発明は薬剤・健康促進剤・食用錠剤菓子等のビン入り錠剤収納ケースにおいて、プラスチック製の素材を小型式筒体に成形してなる蓋付の錠剤の収納小ビンと該小ビンを並列かつ着脱自在にしたプラスチック製のインナーケースと、該インナーケースを左右対象に装着かつ着脱自在となる開閉自在のプラスチック製のキットケース本体とから構成されることを特徴とするビン入り錠剤収納ケースの提供にあり、また前記の錠剤収納ケースにおいてキットケース本体の片側中央部にプッシュ部を設け該プッシュ部を親指で押して前記ケース本体をワンタッチで開閉することを可能にした請求項４記載のビン入り錠剤収納ケースの提供にあり、また前記の錠剤収納ケースにおいてインナーケースを半円形状に一体成型し該インナーケースに錠剤収納小ビンを着脱しかつ該着脱をワンタッチで可能にしたビン入り錠剤の収納ケースの提供にあり、また前記の錠剤収納ケースにおいてキットケース本体を半透明状に成形し、該キットケース本体とインナーケース間に色別シールを挿入して収納されている錠剤を外から識別可能にしてなる請求項４記載のビン入り錠剤収納ケースの提供にあり、更に前記の錠剤収納ケースにおいて錠剤収納小ビンの錠剤取出口を小ビン内蓋の中央部から多少ずらして円形状に成形し該状剤取出口から１錠づつ錠剤を取り出すことを可能にしてなるビン入り錠剤収納ケースの提供にある。
【発明の効果】
【０００６】
本発明は、薬剤・健康促進剤・食用錠剤菓子等のビン入り錠剤の収納方法において小型式筒体の錠剤入り収納小ビンを設け該小ビンを開閉式ケース内に左右対象となるように並列かつ順次着脱が可能となることを特徴とするビン入錠剤収納方法であり、また前記の収納方法において錠剤入りケースと該ケースを開閉式ケースに挿入しかつ着脱を自在にしてなる請求項１記載のビン入り錠剤収納方法であり、また前記の収納方法において開閉式ケースを色別にし収納されている錠剤を外から鑑別可能にしてなるビン入り錠剤収納方法である。
【０００７】
また本発明の薬剤・健康促進剤・食用錠剤菓子等のビン入り錠剤収納ケースにおいて、プラスチック製の素材を小型式筒体に成形してなる蓋付の錠剤の収納小ビンと該小ビンを並列かつ着脱自在にしたプラスチック製のインナーケースと、該インナーケースを左右対象に装着かつ着脱自在となる開閉自在のプラスチック製のキットケース本体とから構成されることを特徴とするビン入り錠剤収納ケースであり、また前記の錠剤収納ケースにおいてキットケース本体の片側中央部にプッシュ部を設け、該プッシュ部を親指で押して前記ケース本体をワンタッチで開閉することを可能にしたビン入り錠剤収納ケースであり、また前記の錠剤収納ケースにおいてインナーケースを半円形状に一体成型し、該インナーケースに錠剤収納小ビンを着脱しかつ該着脱をワンタッチで可能にしたビン入り錠剤の収納ケースであり、また前記の錠剤収納ケースにおいてキットケース本体を半透明状に成形し該キットケース本体とインナーケース間に色別シールを挿入して収納されている錠剤を外から識別可能にしてなるビン入り錠剤収納ケースであり、また前記の錠剤収納ケースにおいて錠剤収納小ビンの錠剤取出口を小ビン内蓋の中央部から多少ずらして円形状に成形し該状剤取出口から１錠づつ錠剤を取り出すことを可能にしてなるビン入り錠剤収納ケースであるから、従来ケースでは得られない次のような多くの効果が得られる。
ア、従来ケースの場合は２箇所の爪で留めていたケース本体の爪留部が硬いために指で開  く時に爪を痛めることがあったが、本発明ケースによれば開閉部のくぼみを押すことに  よりワンタッチで簡単に開くことができる。
イ、従来ケースの場合は、収納されるビンがガラス製のためにウレンタ製の非常に柔らか  いもので固定することしかできなかったが、本発明ケースによれば収納するビンをプラ  スチック製に変更したために割れる危険などが回避されて大変取り出し易くなった。
ウ、従来ビンの口はすぼんでいたために玉状の錠剤がひっかかり必要以上の錠剤が飛び出  していたが、本発明によればビンと蓋の間に中蓋をつけたために玉状の錠剤が１個づつ  飛び出す形で取り出せるようになった。
エ、従来のキットケース自体には、着色がなされていたためにキットケースを種類別に分  けることができないのでキットの着色を変える必要があったが、本発明のキットケース  によれば、半透明の外ケースと内ケースの間に色別シールを挿入することで、中味の錠  剤を容易に種類分けすることができる。
オ、従来のビンかガラス製であり、しかも蓋が硬質のプラスチックであったため、単品で  宅配される場合には振動で蓋が外れることがあったが、本発明のビンにすればビンと蓋  は同じプラスチック製材料のために振動で外れることはなくなった。
【発明を実施するための最良の形態】
【０００８】
本発明の最良な実施形態は、薬剤・健康促進剤・食用錠剤菓子等のビン入り錠剤の収納方法において小型式筒体の錠剤入り収納小ビンを設け該小ビンを開閉式ケース内に左右対象となるように並列かつ順次着脱が可能となることを特徴とするビン入錠剤収納方法であり、また前記の収納方法において錠剤入りケースと該ケースを開閉式ケースに挿入しかつ着脱を自在にしてなるビン入り錠剤収納方法であり、また前記の収納方法において開閉式ケースを色別にし収納されている錠剤を外から鑑別可能にしてなるビン入り錠剤収納方法であるから、従来方法よりも作業効率を高めることができる。
【０００９】
更に本発明の最良な実施形態は、薬剤・健康促進剤・食用錠剤菓子等のビン入り錠剤収納ケースにおいてプラスチック製の素材を小型式筒体に成形してなる蓋付の錠剤の収納小ビンと該小ビンを並列かつ着脱自在にしたプラスチック製のインナーケースと該インナーケースを左右対象に装着かつ着脱自在となる開閉自在のプラスチック製のキットケース本体とから構成されることを特徴とするビン入り錠剤収納ケースであり、また前記の錠剤収納ケースにおいてキットケース本体の片側中央部にプッシュ部を設け該プッシュ部を親指で押して前記ケース本体をワンタッチで開閉することを可能にしたビン入り錠剤収納ケースであり、また前記の錠剤収納ケースにおいてインナーケースを半円形状に一体成型し該インナーケースに錠剤収納小ビンを着脱しかつ該着脱をワンタッチで可能にしたビン入り錠剤の収納ケースであり、また前記の錠剤収納ケースにおいてキットケース本体を半透明状に成形し該キットケース本体とインナーケース間に色別シールを挿入して収納されている錠剤を外から識別可能にしてなるビン入り錠剤収納ケースであり、また前記の錠剤収納ケースにおいて錠剤収納小ビンの錠剤取出口を小ビン内蓋の中央部から多少ずらして円形状に成形し該状剤取出口から１錠づつ錠剤を取り出すことを可能にしてなるビン入り錠剤収納ケースであるから従来よりも優れたケースを提供することができる。
【実施例１】
【００１０】
以下図面に従って本発明の具体的な実施例について説明する。
【００１１】
まず図１乃至図３により本発明のケースについて説明する。キットケース本体１はプラスチック製の素材から形成されており、ほぼ中央部から両側に開閉自在になるように構成されている。このキットケース本体１の開閉はプッシュ部２を親指Ａで軽く押えれば簡単に開閉される。すなわち、あらかじめインナーケース３内に収納されている錠剤収納小ビンＭは、プッシュ部２のワンタッチで瞬時に開くことができるように構成されている。ついで、図４と図５により本発明のキットケース本体１について説明すれば、キットケース本体１は本キットケース本体１１と同質の素材であるプラスチック製のインナーケース３と錠剤収納小ビンＭから構成されている。すなわち、本発明のキットケース本体１にはキットケース本体１と同素材であるインナーケース３内に錠剤収納小ビンＭを着脱自在になりように挿着されている。このインナーケース３には、ほぼ半円形のビン収納部４が２列に挿着できるように構成されておりビン収納部４に錠剤収納小ビンＭが全部挿着されたならば、キットケース本体１の左右側のキットケース本体１内にインナーケース３を着脱自在となるように装着する。そうすれば、図５に示すように錠剤収納小ビンＭ入りのインナーケース３が左右のキットケース本体１内にセットすることができる。この状態でキットケース本体１を閉じればワンタッチでキットケース本体１を閉じることができる。更に、図６により本発明の錠剤収納小ビンＭについて説明すれば、錠剤収納小ビンＭは他の部材と同様にプラスチック製の素材により成型されている。この錠剤収納小ビンＭは、開口部分に螺着部Ｈを有する錠剤収納小ビンＭと、この錠剤収納小ビンＭの開閉部分に冠着する錠剤取出口Ｔを有する小ビン内蓋と、螺着部Ｈを有するキップＳとから構成されている。なお、小ビン内蓋Ｒに形成されている錠剤取出口Ｔは中央部ではなく多少位置をずらして設けられている。このように錠剤取出口Ｔの位置をずらしているのは、錠剤収納小ビンＭに収納されている錠剤Ｗを１個づつ取り出せるようにするためである。
【００１２】
次に、本発明のビン入り錠剤収納ケースの使用方法について説明する。まず、所望の錠剤Ｗを錠剤収納小ビンＭ内に収納し、小ビン内蓋Ｒを嵌合してキップＳを螺合する。このように収納された錠剤入りの錠剤収納小ビンＭを１個づつインナーケース３のビン収納部４に差し込み、すべての錠剤収納小ビンＭがインナーケース３内に収納セットされたならば、キットケース本体１を左右に開きそれぞれのインナーケース３をそれぞれのキットケース本体１に装着して閉じればワンタッチでキットケース本体１を閉じることができる。このようにセットされたキットケース本体１を所望の場合に移動し所望個所の柵などに配設する。そして、錠剤Ｗを使用する場合は前記配設個所から所望のキットケース本体１を取り出してプッシュ部２を親指Ａで押さえてキットケース本体１を左右に開き、インナーケース３内にセットされている錠剤収納小ビンＭを指先で取り出してキップＳを錠剤収納小ビンＭから取りはずして錠剤取出口Ｔから１錠づつ錠剤Ｗを取り出し使用（図７参照）する。使用後の錠剤収納小ビンＭは、元のインナーケース３のビン収納部に収納する。
【図面の簡単な説明】
【００１３】
【図１】本発明のキットケースを示した外観斜視図。
【図２】図１に付設されているプッシュ部の使用状態図。
【図３】図１に付設されているプッシュ部の使用状態図。
【図４】図１に示したキットケースの内部構造の概要図。
【図５】図４に示したキットケースの内部構造の概要図。
【図６】本発明の錠剤収納小ビンを示した分解図。
【図７】図６に示した錠剤収納小ビンの使用状態図。
【図８】従来のキットケースを示した外観斜視図。
【図９】図８に付設されている開閉用具の説明概要図。
【図１０】図８に付設されている開閉用具の説明概要図。
【図１１】図８のキットケースの内部構造の概要図。
【図１２】図８のキットケース内に錠剤をセットした状態図。
【図１３】従来の錠剤収納小ビンを示した分解図。
【図１４】図１３に示した錠剤収納小ビンの使用状態図。
【符号の説明】
【００１４】
１、１１  キットケース本体      ２  プッシュ部
１２  ツメ留部                  ３、１３  インナーケース
４、１４  ビン収納部
Ａ  親指                        Ｂ  人差指
Ｍ  錠剤収納小ビン              Ｓ  キャップ
Ｒ  ビン内蓋                    Ｔ  錠剤取出口
Ｈ  螺着部                      Ｗ  錠剤
【図１】
2005168575.tif 000003
【図２】
2005168575.tif 000004
【図３】
2005168575.tif 000005
【図４】
2005168575.tif 000006
【図５】
2005168575.tif 000007
【図６】
2005168575.tif 000008
【図７】
2005168575.tif 000009
【図８】
2005168575.tif 000010
【図９】
2005168575.tif 000011
【図１０】
2005168575.tif 000012
【図１１】
2005168575.tif 000013
【図１２】
2005168575.tif 000014
【図１３】
2005168575.tif 000015
【図１４】
2005168575.tif 000016